(57)【要約】【解決する課題】被介護者の体の状態、疾患の状態、体型、あるいは車椅子の長さや幅に合わせて座部や背もたれ部の張り具合や角度の微妙な調整が可能なベルトを装着した着脱可能な背もたれ部又は座部を提供する。【課題を解決する手段】２本の逆Ｕ字型フレーム１１ａ，１１ｂと該２本の逆Ｕ字型フレームの一方側が外管１２ａと該外管に挿入された内管１２ｂによって幅の調節が可能な少なくとも１本の連結フレーム１２により連結されたことを特徴とする脱着可能な車椅子の背もたれ部又は座部１００である。逆Ｕ字型フレームの一方側に外管１２ａと外管に挿入された内管１２ｂを摺動させることによって横幅の調節が可能となった。【選択図】図２
2005040282.tif 000002
【特許請求の範囲】
【請求項１】
２本の逆Ｕ字型フレームと該２本の逆Ｕ字型フレームの一方側が外管と該外管に挿入された内管によって幅の調節が可能な少なくとも１本の連結フレームにより連結されたことを特徴とする脱着可能な車椅子の背もたれ部又は座部。
【請求項２】
２本の逆Ｕ字型フレームの一方側に外管と該外管に挿入された内管によって長さ調節可能な連結フレームを着設し、該連結フレームにヘッドレストを着設した背もたれ部と、該連結フレームにヘッドレストを着設した背もたれ部の他方端に、外管と該外管に挿入された内管によって長さ調節可能な連結フレームで連結された２本の逆Ｕ字型フレームよりなる座部を回動可能に連設したことを特徴とする脱着可能な車椅子の背もたれ部又は座部。
【請求項３】
逆Ｕ字型フレームの上端部と下端部に背もたれ部フレーム又は座部フレームに着設する狭着部を複数個有することを特徴とする請求項１又は請求項２のいずれかに記載の脱着可能な車椅子の背もたれ部又は座部。
【請求項４】
両端部に前記逆Ｕ字型フレームに巻着するための巻着部と中央に長さ調節が可能なバックルが着設されたベルトとよりなることを特徴とする脱着可能な車椅子の背もたれ部又は座部のベルト。
【請求項５】
ベルトの中央部に弾力性のある緩衝部材が着設されていることを特徴とする請求項４に記載の脱着可能な車椅子の背もたれ部又は座部のベルト。
【請求項６】
前記逆Ｕ字型フレームの両側に前記ベルトの巻着部を巻着し、巻着部にバックルが着設されたベルトが装着されたことを特徴とする請求項１から請求項３のいずれかに記載の脱着可能な車椅子の背もたれ部又は座部。
【発明の詳細な説明】
【０００１】
【発明の属する技術分野】本発明は、車椅子の背もたれ部又は座部に関する。より詳しくは、車椅子の座乗者の姿勢や体格に合わせて張り具合を調節することができるベルトを装着した脱着可能な背もたれ部又は座部に関する。
【０００２】
【従来の技術】従来の車椅子の背もたれ部又は座部は、背もたれフレーム又は座部フレームに固定されたものが多く、背もたれ部や座部の張り強度や角度を被介護者の姿勢や疾患の状態に合わせて微妙な調整ができなかった。この問題を解決するために、特許文献１第３頁段落（［００２７］）では、「図１中の背もたれ部材１５およびシート部１６におけるシート基材１６ａはともに塩化ビニル樹脂によってコーティングされたポリエステル繊維製布から形成されている。背もたれ部材１５は車体フレーム８の左右一対の後部支柱８ｂ（図５参照）に、シート部１６は車体フレーム８の左右一対の中間梁部８ｄ（図５参照）に掛け渡すように取り付けられている。」、「シート基材１６ａの上面にはクッション１６ｂが着脱自在に貼着されている。貼着には面ファスナー１６ｃ等、公知の方法が採用される。」と記載されている。この方法によればシート部材の上にクッションを貼着して取り外し可能とすることを特徴としている。このようにすることによって、車椅子に貼着されたクッションを取り外して洗浄、乾燥がし易い効果を有するものである。
【０００３】
特許文献２の第３頁段落（［００１７］）に、「本願第１発明の更に好適な実施例においては、折返し部が複数のベルト状部材で構成されている。このベルト状部材を、バックフレームと後述するアームパイプや、サイドカバーとの間隙、及び、サイドフレームに設けたガイド孔に通して、バックレストシート及びヒップレストシートを本体フレームに取り付ける。この様に各シートを取り付けることによって、車椅子の使用中に、バックレストシートの上下の位置あるいはヒップレストシートの前後の位置がずれるといった不都合がなくなる。」、さらに、段落（［００３６］）には、「図４は、本発明に係るヒップレストシートを展開した平面図である。ヒップレストシートは、腰掛け部（シート本体）と、カバーと、腰掛け部の両側に設けた左右４本のベルト状部材とで構成されている。」と記載されているように、特許文献２のシートは、シート本体にベルト状部材を設けたものである。
【０００４】
特許文献１では、座部を取り外して洗浄がし易い効果があり、特許文献２においては、車椅子の使用中に、バックレストシートの上下の位置あるいはヒップレストシートの前後の位置がずれるといった不都合がなくなるという効果を有するものである。しかし、従来の張りベルト付きの座部（クッション等）は張り調整を行う場合に、ベルトを弛めると座位が中心よりずれるために、ずれを調整しながら張りベルトを両側のフレームに合わせて、固定する必要があった。特に、座部（クッション等）を中心にもってくるのが難しく、一度、座って調整しなければならないと云う問題点があった。このために、座部を未だ被介護者の体の状態、疾患の状態、体型、あるいは車椅子の長さや幅に合わせて、座部や背もたれ部の張り具合や角度を簡単に調節出来るものがなく、その出現が望まれていた。
【０００５】
【特許文献１】特開平１１−２４４３３５号公報（第３頁段落［００２７］参照。）
【特許文献２】特許第３０３８５６９号公報（第３頁段落［００１７］参照。）
【０００６】
【発明が解決する課題】本発明は、上記事実に鑑みてなされたもので、被介護者の体の状態、疾患の状態、体型、あるいは車椅子の長さや幅に合わせて座部や背もたれ部の張り具合や角度の微妙な調整が可能なベルトを装着した着脱可能な背もたれ部又は座部を提供するものである。
【０００７】
【課題を解決する手段】本発明者は上記課題を解決するために鋭意研究を重ねた結果、背もたれ部又は座部フレームに逆Ｕ字型のフレームを用いて、ベルトの張設強度を個々に変更可能とすることにより、被介護者の体型、疾患に合わせて張り具合や角度を微妙に調整することができる座部又は背もたれ部を提供することに成功した。
【０００８】
本発明の課題を解決する手段は、２本の逆Ｕ字型フレームと該２本の逆Ｕ字型フレームの一方側が外管と該外管に挿入された内管によって幅の調節が可能な少なくとも１本の連結フレームにより連結されたことを特徴とする脱着可能な車椅子の背もたれ部又は座部である。逆Ｕ字型フレームの一方側に外管と外管に挿入された内管を摺動させることによって横幅の調節が可能となった。また、逆Ｕ字型フレームに巻着するための巻着部と中央に長さ調節が可能なバックルが着設されたベルトを前記逆Ｕ字型フレームの両側にベルトの巻着部を巻着させることによって、ベルトの中央部の弾力性とベルトの張り具合によって、背もたれ部又は座部に微妙なクッション性を付与することが可能となった。
【０００９】
本発明の課題を解決する別の手段は、２本の逆Ｕ字型フレームの一方側に外管と該外管に挿入された内管によって長さ調節可能な連結フレームを着設し、該連結フレームにヘッドレストを着設した背もたれ部と、該連結フレームにヘッドレストを着設した背もたれ部の他方端に、外管と該外管に挿入された内管によって長さ調節可能な連結フレームで連結された２本の逆Ｕ字型フレームよりなる座部を回動可能に連設したことを特徴とする脱着可能な車椅子の背もたれ部又は座部である。脱着可能な背もたれ部と座部を連接することによって、車椅子を収納する場合に背もたれ部と座部を簡単に取り外すことができる。
【００１０】
本発明の課題を解決する別の手段は、逆Ｕ字型フレームの上端部と下端部に背もたれ部フレーム又は座部フレームに着設する狭着部を有することを特徴とする請求項１に記載の脱着可能な車椅子の背もたれ部又は座部である。逆Ｕ字型フレームの上端部と下端部に狭着部を着設したことによって、車椅子への脱着が容易となり、背もたれ部又は座部を取り外して車椅子を折り畳むことができる。脱着可能な背もたれ部又は座部のフレームに、背もたれ部フレーム又は座部フレームに狭着する狭着部を設けることにより、背もたれ部又は座部の着脱が容易となる。
【００１１】
本発明の課題を解決する別の手段は、両端部に前記逆Ｕ字型フレームに巻着するための巻着部と中央に長さ調節が可能なバックルが着設されたベルトとよりなることを特徴とする脱着可能な車椅子の背もたれ部又は座部のベルトである。脱着可能な車椅子の背もたれ部又は座部に長さ調節が可能なベルトを装着することによって、座乗者の病状、体格などに合わせてより繊細な調節が可能である。
【００１２】
本発明の課題を解決する別の手段は、ベルトの中央部に弾力性のある緩衝部材が着設されていることを特徴とする請求項４に記載の脱着可能な車椅子の背もたれ部又は座部のベルトである。２本の逆Ｕ字型フレームに掛け渡したベルトの中央部に合成ゴム等の弾力性のある緩衝部材を装着することによって、座乗者の背中や臀部に当接するベルトやバックルが直接当たらず、長時間座していても痛くなく、不快感を与えない。
【００１３】
本発明の課題を解決する別の手段は、前記逆Ｕ字型フレームの両側に前記ベルトの巻着部を巻着し、巻着部にバックルが着設されたベルトが装着されたことを特徴とする請求項１から請求項３のいずれかに記載の脱着可能な車椅子の背もたれ部又は座部である。脱着可能な車椅子の背もたれ部又は座部に長さ調節が容易なベルトを装着することによって、脱着可能な車椅子の背もたれ部又は座部の使用勝手が一段と良くなる。
【００１４】
【発明の実施の態様】本発明の実施の態様を以下に図面を用いて説明する。本発明の脱着可能な車椅子の背もたれ部又は座部は、要旨を逸脱しない範囲において、以下の実施例に限定されるものではない。
【００１５】
図１は本発明の脱着可能な車椅子の背もたれ部又は座部１００を着設した側面を示す。逆Ｕ字型フレーム１１の開口部は補強フレーム１５によって、補強されている。２本の逆Ｕ字型フレーム１１は図２に示すように、裏側に相当する側に掛け渡された外管１２ａ、１３ａとこの外管に挿入された内管１２ｂ，１３ｂによって幅の調節が可能な少なくとも２本の連結フレーム１２、１３により連結されている。背もたれ部、又は座部の幅を調節する場合は、外管１２ａ、１３ａに挿入された内管１２ｂ，１３ｂを摺動させて所望の幅に調節して１２ｃ及び１３ｃのネジを締めて固定する。脱着可能な車椅子の背もたれ部又は座部１００の大きさは車椅子に合うものであれば特にその大きさは限定されるものではないが、本発明においては、逆Ｕ字型フレームの上端からフレームの長い方の下端部までを５２ｃｍ、短い方の下端部までを４９ｃｍとし、Ｕ字型フレームの幅を１６ｃｍとした脱着可能な車椅子の背もたれ部又は座部１００を作成した。
【００１６】
図３は２本の逆Ｕ字型フレーム１１により形成された背もたれ部と座部を連設した脱着可能な車椅子の背もたれ部と座部２００を示す。図３に示す背もたれ部は２本の逆Ｕ字型フレーム１１の一方側は角フレーム１１ａを張設して、ヘッドレスト１９を軸着部１７ｃに軸着した。ヘッドレスト１９はヘッドレスト支持フレーム１８のレバー１８ａを緩めてヘッドレスト支持フレーム１８を前後に移動させて、ヘッドレスト１９を座乗者の頭部に合わせて調節することができる。２本の逆Ｕ字型フレーム１１により形成された背もたれ部と座部を連設した脱着可能な車椅子の背もたれ部と座部２００の大きさは、背もたれ部の逆Ｕ字型の上から下までの高さが４９ｃｍ、座面の長さは背もたれ部の外枠から座部の先端までが４８ｃｍで、逆Ｕ字型のＵ字の厚さは１１ｃｍとした。
【００１７】
図４は２本の逆Ｕ字型フレーム１１により形成された背もたれ部と座部を連設した脱着可能な車椅子の背もたれ部と座部２００の背面を示す。２本の逆Ｕ字型フレーム１１により形成された背もたれ部と座部は車椅子の背もたれフレームと座部フレームに狭着部１４を狭着させて安定に保持することができる。背もたれ部と座部を連設した脱着可能な車椅子の背もたれ部と座部２００の幅の調節は、座部の上側連結フレーム１２と背もたれ部の上部の連結フレーム１７と下側連結フレーム１３の３カ所のネジ１２ｃ、１３ｃ又は調節レバー１７ｂを緩めて調節する。車椅子を折り畳む時は、背もたれ部と座部を連設した脱着可能な車椅子の背もたれ部と座部２００の狭着部１４を背もたれフレームと座部フレームから離脱させることにより、車椅子は折り畳むことができる。背もたれ部と座部を連設した脱着可能な車椅子の背もたれ部と座部２００は連結部材１６のところから、背もたれ部の背面に二つ折りに折り畳むことができる。
【００１８】
前述の脱着可能な車椅子の背もたれ部又は座部１００、又は背もたれ部と座部を連設した脱着可能な車椅子の背もたれ部と座部２００に装着するベルト２１は図５に示すような部材よりなっている。まず、巻着部２２は２本の逆Ｕ字型フレーム１１にベルト２１を取着するため、逆Ｕ字型フレーム１１に巻着して少なくとも１カ所を鋲又はネジ２２ｂで固定する。ベルト２１にはベルトの両側に２カ所づつ自由端２１ａ、２１ｂがあり、この自由端２１ａ、２１ｂを巻着部２２のバックル２２ａに通して固定する。
【００１９】
図６は巻着部２２のバックル２２ａにベルト２１の自由端２１ａを通して、２本の逆Ｕ字型フレーム１１にベルト２１を取着した例を示している。図７は２本の逆Ｕ字型フレーム１１にベルト２１を取着したその表側を示している。背もたれ部又は座部の体に当接するベルト２１の表面にくる部分には合成ゴム等の緩衝部材２４が装着されている。
【００２０】
図８は２本の逆Ｕ字型フレーム１１にベルト２１を取着した状態を上面から示している。図８に示すようにベルト２１は２本の逆Ｕ字型フレーム１１を巻くように装着する。逆Ｕ字型フレーム１１の背もたれ部又は座部に対してベルト２１を深く取着したり、浅く取着する場合は、ベルトの自由端２１ａと２１ｂの固定する長さをずらすことによって調節することができる。
【００２１】
図９はベルト２１を取着した逆Ｕ字型フレーム１１の側面を示す。ベルトの巻着部２２は逆Ｕ字型フレーム１１に鋲又はネジ２２ｂで固定され、固定された巻着部２２のバックル２２ａにベルトの自由端が２１ａが固定されている。
【００２２】
図１０は脱着可能な車椅子の背もたれ部又は座部１００を車椅子の背もたれ部フレーム２６に装着した状態を示す。脱着可能な車椅子の背もたれ部又は座部１００には、さらに、逆Ｕ字型フレームの上端部と下端部に背もたれ部レーム２６に着設する狭着部１４を有すると共に、背もたれ部フレーム２６の下端部に脱着可能な車椅子の背もたれ部又は座部１００の下端部に着設された連結管１３を受ける狭着部２５が着設されている。それぞれの狭着部１４を背もたれ部フレーム２６と狭着させ、さらに脱着可能な車椅子の背もたれ部又は座部１００の下端部に着設された連結管１３を受ける狭着部２５を狭着させることによって脱着可能な車椅子の背もたれ部又は座部１００を安定に保持することができる。
【００２３】
図１１は脱着可能な車椅子の背もたれ部又は座部１００の下端部に着設された連結管１３を受ける狭着部２５の形状を示す。車椅子側の狭着部２５は座部フレーム３３かそれよりも低い位置に着設して、脱着可能な車椅子の背もたれ部又は座部１００を安定に保持するように取着する。
【００２４】
座部に脱着可能な車椅子の背もたれ部又は座部１００を装着する場合も図１２に示すように座部フレーム３３に乗せるように装着する。しかし、車椅子の走行時に脱着可能な車椅子の背もたれ部又は座部１００が前後に動いたりずれたりしないように装着しなければならない。
【００２５】
【発明の効果】逆Ｕ字型フレームの一方側に外管と外管に挿入された内管を摺動させることによって横幅の調節が可能となった。また、逆Ｕ字型フレームに巻着するための巻着部と中央に長さ調節が可能なバックルが着設されたベルトを前記逆Ｕ字型フレームの両側にベルトの巻着部を巻着させ、これにベルトを着設することによって、ベルトの中央部の弾力性とベルト毎に張り具合を換えることによって、被介護者の体格、体調に合わせて背もたれ部又は座部に微妙なクッション性を付与することが可能となった。
【００２６】
逆Ｕ字型フレームの上端部と下端部に狭着部を着設したことによって、車椅子への脱着が容易となり、背もたれ部又は座部を取り外して車椅子を折り畳むことができる。
【００２７】
２本の逆Ｕ字型フレームに掛け渡したベルトの中央部に合成ゴム等の弾力性のある緩衝部材を装着することによって、バックルなどの体に当接する部分が直接体に当たらず不快感を与えない。
【図面の簡単な説明】
【図１】脱着可能な車椅子の背もたれ部又は座部のフレームの側面図。
【図２】脱着可能な車椅子の背もたれ部又は座部のフレームの背面図。
【図３】背もたれ部と座部を連設した脱着可能な車椅子の背もたれ部と座部の側面斜視図。
【図４】背もたれ部と座部を連接した脱着可能な車椅子の背もたれ部と座部の背面図。
【図５】脱着可能な車椅子の背もたれ部又は座部のベルト背面の部分斜視図。
【図６】脱着可能な車椅子の背もたれ部又は座部のフレームにベルトを着設した部分背面図。
【図７】脱着可能な車椅子の背もたれ部又は座部のフレームに着設した部分正面図。
【図８】脱着可能な車椅子の背もたれ部又は座部のフレームにベルトを着設した部分上面図。
【図９】脱着可能な車椅子の背もたれ部又は座部のフレームにベルトを着設した部分側面図。
【図１０】ベルトを着設した脱着可能な車椅子の背もたれ部又は座部を背もたれフレームに装着した部分斜視図。
【図１１】脱着可能な車椅子の背もたれ部又は座部を取着する車椅子背面の狭着部を示す部分斜視図。
【図１２】脱着可能な車椅子の背もたれ部又は座部を座部に取着した斜視図。
【符号の説明】
１００：脱着可能な車椅子の背もたれ部又は座部
２００：連設された脱着可能な車椅子の背もたれ部又は座部
１１：逆Ｕ字型フレーム
１１ａ：角フレーム
１２：上側連結フレーム
１２ａ：上側外管
１２ｂ：上側内管
１２ｃ：調節部
１３：下側連結フレーム
１３ａ：下側外管
１３ｂ：下側内管
１３ｃ：調節部
１４：狭着部
１５：補強フレーム
１６：連結部材
１７：連結フレーム
１７ａ：調節フレーム
１７ｂ：調節レバー
１７ｃ：軸着部
１８：ヘッドレスト支持フレーム
１８ａ：ヘッドレスト調節レバー
１９：ヘッドレスト
２１：ベルト
２２：巻着部
２２ａ：巻着部のバックル
２２ｂ：巻着部のバックル
２３：バックル
２４：緩衝部材
２５：狭着部
２６：背もたれ部フレーム
２７：把持部
３１：主車輪
３２：キャスター
３３：座部フレーム
３４：アームレスト
３５：前部フレーム
３６：下部フレーム
３７：背もたれ部
３８：座部
【図１】
2005040282.tif 000003
【図２】
2005040282.tif 000004
【図３】
2005040282.tif 000005
【図４】
2005040282.tif 000006
【図５】
2005040282.tif 000007
【図６】
2005040282.tif 000008
【図７】
2005040282.tif 000009
【図８】
2005040282.tif 000010
【図９】
2005040282.tif 000011
【図１０】
2005040282.tif 000012
【図１１】
2005040282.tif 000013
【図１２】
2005040282.tif 000014